(57)【要約】【課題】  腕金に取り付けられる碍子を交換する作業を簡素化することができる電線仮支持具を提供する。【解決手段】  腕金Ｘに取り付けられる碍子Ｙを交換する際に、碍子Ｙに支持される電線Ｚを仮支持するための電線仮支持具１であって、腕金Ｘに取り付けられ、電線Ｚを支持する本体部２と、本体部２に接続され、電線Ｚを覆う絶縁性のカバー部３，３とを備えることを特徴とする。【選択図】  図８
2012253994.tif 000002
【特許請求の範囲】
【請求項１】
腕金に取り付けられる碍子を交換する際に、碍子に支持される電線を仮支持するための電線仮支持具であって、
腕金に取り付けられ、電線を支持する本体部と、本体部に接続され、電線を覆う絶縁性のカバー部とを備えることを特徴とする電線仮支持具。
【請求項２】
電線が碍子及び本体部間で移動される際に腕金に接触するのを防止すべく、本体部から突出し、腕金より上方で且つ電線より下方に配置される防止手段を備える請求項１に記載の電線仮支持具。
【請求項３】
カバー部は、多重管構造となるように配置される複数の管体を備え、
複数の管体は、カバー部が軸線方向に沿って伸縮可能となるように、軸線方向で互いに相対変位可能に構成され、
各管体は、電線を出し入れ可能にすべく、軸線方向に沿って開放される出入部を備える請求項１又は２に記載の電線仮支持具。
【請求項４】
各出入部は、スリット状に形成され、
各管体は、弾性変形することにより出入部を開放すべく弾性を有して形成され、
複数の出入部は、複数の管体が連動して弾性変形することにより、互いに連動して開閉すると共に、開放された際に互いに連通するようにそれぞれ配置される請求項３に記載の電線仮支持具。
【発明の詳細な説明】
【技術分野】
【０００１】
本発明は、腕金に取り付けられる碍子を交換する際に、碍子に支持される電線を仮支持するための電線仮支持具に関する。
【背景技術】
【０００２】
従来、電線仮支持具として、腕金に取り付けられる碍子を交換する際に用いられる電線仮支持具が知られている。そして、斯かる電線仮支持具は、高所作業車のバケットに取り付けられており、高所作業車のバケットと一体になって移動される（例えば、特許文献１）。
【０００３】
斯かる電線仮支持具を用いて碍子を交換する際には、まず、電線仮支持具が碍子付近に位置するように、バケットを移動させ、電線仮支持具で電線の碍子付近の位置を支持させる。斯かる状態から、電線を碍子から取り外した後、碍子を腕金から取り外し、さらにその後、新しい碍子を腕金に取り付けることで、碍子を交換することができる。
【先行技術文献】
【特許文献】
【０００４】
【特許文献１】実用新案登録第３０５８３０８号公報
【発明の概要】
【発明が解決しようとする課題】
【０００５】
しかしながら、特許文献１に係る電線仮支持具において、電線仮支持具を移動させるには、バケットと一体になって移動させる必要があるため、バケットを操作する作業が生じる。そして、電線が混雑している場所で作業する場合には、バケットを微調整する必要があり、碍子を交換する作業が非常に煩雑となる。
【０００６】
よって、本発明は、斯かる事情に鑑み、腕金に取り付けられる碍子を交換する作業を簡素化することができる電線仮支持具を提供することを課題とする。
【課題を解決するための手段】
【０００７】
本発明に係る電線仮支持具は、腕金に取り付けられる碍子を交換する際に、碍子に支持される電線を仮支持するための電線仮支持具であって、腕金に取り付けられ、電線を支持する本体部と、本体部に接続され、電線を覆う絶縁性のカバー部とを備えることを特徴とする。
【０００８】
本発明に係る電線仮支持具によれば、本体部を腕金に取り付けた後、碍子から電線を取り外し、その電線を本体部で支持させる。そして、本体部に接続される絶縁性のカバー部で電線を覆うことで、電線を絶縁させることができるため、電線が通電しているにも関わらず、碍子付近に近づくことができる。そして、碍子を腕金から取り外した後、新しい碍子を腕金に取り付けることで、碍子を交換することができる。
【０００９】
また、本発明に係る電線仮支持具においては、電線が碍子及び本体部間で移動される際に腕金に接触するのを防止すべく、本体部から突出し、腕金より上方で且つ電線より下方に配置される防止手段を備えてもよい。
【００１０】
斯かる構成の電線仮支持具によれば、本体部から突出する防止手段が、腕金より上方で且つ電線より下方に配置される。これにより、碍子及び本体部間で電線を移動させる際に、誤って電線を落下させても、防止手段が電線を受け取るため、電線が腕金に接触するのを防止できる。
【００１１】
また、本発明に係る電線仮支持具においては、カバー部は、多重管構造となるように配置される複数の管体を備え、複数の管体は、カバー部が軸線方向に沿って伸縮可能となるように、軸線方向で互いに相対変位可能に構成され、各管体は、電線を出し入れ可能にすべく、軸線方向に沿って開放される出入部を備えてもよい。
【００１２】
斯かる構成の電線仮支持具によれば、複数の管体が多重管構造となるように配置されることにより、カバー部が構成されている。そして、各管体に、軸線方向に沿って開放される出入部が設けられているため、出入部を介して、電線を管体に挿入したり、電線を管体から抜出したりできる。さらに、複数の管体が軸線方向で互いに相対変位することにより、カバー部が軸線方向に沿って伸縮できる。
【００１３】
また、本発明に係る電線仮支持具においては、各出入部は、スリット状に形成され、各管体は、弾性変形することにより出入部を開放すべく弾性を有して形成され、複数の出入部は、複数の管体が連動して弾性変形することにより、互いに連動して開閉すると共に、開放された際に互いに連通するようにそれぞれ配置されてもよい。
【００１４】
斯かる構成の電線仮支持具によれば、各出入部がスリット状に形成されているため、弾性を有する各管体が弾性変形することにより、出入部が開放する。そして、複数の管体が連動して弾性変形することにより、複数の出入部が互いに連動して開閉すると共に、複数の出入部が互いに連通する。これにより、電線を管体に容易に出し入れすることができる。
【発明の効果】
【００１５】
以上の如く、本発明に係る電線仮支持具によれば、腕金に取り付けられる碍子を交換する作業を簡素化することができるという優れた効果を奏する。
【図面の簡単な説明】
【００１６】
【図１】本発明の一実施形態に係る電線仮支持具の全体正面図を示す。
【図２】同実施形態に係る電線仮支持具の全体右側面図を示す。
【図３】同実施形態に係る電線仮支持具の要部図であって、（ａ）は右側面図、（ｂ）は本体部の右側面図を示す。
【図４】同実施形態に係る電線仮支持具を用いた碍子を交換する作業を説明する図であって、全体右側面図を示す。
【図５】同実施形態に係る電線仮支持具を用いた碍子を交換する作業を説明する図であって、（ａ）は要部右側面図、（ｂ）は要部斜視図を示す。
【図６】同実施形態に係る電線仮支持具を用いた碍子を交換する作業を説明する図であって、（ａ）は要部右側面図、（ｂ）は要部斜視図を示す。
【図７】同実施形態に係る電線仮支持具を用いた碍子を交換する作業を説明する図であって、（ａ）及び（ｂ）はそれぞれ要部正面図を示す。
【図８】同実施形態に係る電線仮支持具を用いた碍子を交換する作業を説明する図であって、全体正面図を示す。
【図９】本発明の他の実施形態に係る電線仮支持具の要部図であって、（ａ）及び（ｂ）はそれぞれ正面図を示す。
【図１０】本発明のさらに他の実施形態に係る電線仮支持具の要部図であって、（ａ）及び（ｂ）はそれぞれ斜視図を示す。
【発明を実施するための形態】
【００１７】
以下、本発明に係る電線仮支持具における一実施形態について、図１〜図８を参酌して説明する。
【００１８】
図１〜図４に示すように、本実施形態に係る電線仮支持具１は、腕金Ｘに取り付けられる碍子（「ピン碍子」ともいう）Ｙを交換する際に、碍子Ｙに支持される電線Ｚを仮支持するために用いられる。そして、電線仮支持具１は、腕金Ｘに取り付けられ且つ電線Ｚを支持する本体部２と、本体部２に接続され、電線Ｚを覆う一対のカバー部３，３と、電線Ｚが碍子Ｙ及び本体部２間で移動される際に、電線Ｚが腕金Ｘに接触するのを防止する防止手段４とを備える。
【００１９】
本体部２は、腕金Ｘを固定する腕金固定部２１と、電線Ｚを支持する電線支持部２２と、腕金固定部２１と電線支持部２２とを連結する連結部２３とを備える。そして、本体部２は、電線支持部２２で電線Ｚを支持することにより、腕金Ｘと電線Ｚとが接触するのを防止するように構成されている。
【００２０】
腕金固定部２１は、腕金Ｘを上下方向で挟持するための一対の挟持部２１１，２１２を備える。また、腕金固定部２１は、共用操作棒（図示及び採番していない）の先端部に装着される装着部２１３を備える。なお、腕金固定部２１は、本体部２の下端部に配置されている。
【００２１】
一対の挟持部２１１，２１２には、腕金Ｘの上方側に当接する第１挟持部２１１と、腕金Ｘの下方側に当接する第２挟持部２１２とが設けられている。そして、第２挟持部２１２は、装着部２１３が操作されることで、周方向に回転されると、螺子機構により、第１挟持部材２１１と接離可能に構成されている。
【００２２】
電線支持部２２は、電線Ｚを収容する凹状の収容部２２１を備える。そして、電線支持部２２は、収容部２２１に収容されている電線Ｚが収容部２２１から抜け出すのを防止すべく、電線Ｚを係止する係止部２２２，２２２を備える。なお、電線支持部２２は、絶縁性を有して形成されていると共に、本体部２の上端部に配置されている。
【００２３】
収容部２２１は、上方及び両側方が開放するように、所定方向に沿って溝状に形成されている。また、係止部２２２，２２２は、弾性を有して形成されていると共に、収容部２２１の上方の少なくとも一部を閉塞するように、収容部２２１の上部から内方に向けて突設されている。
【００２４】
連結部２３は、電線支持部２２で支持されている電線Ｚと腕金固定部２１に固定されている腕金Ｘとを（電気的に）絶縁させるべく、絶縁性を有して形成されており、例えば、磁器や硬質樹脂等の絶縁材で形成されている。また、連結部２３は、表面漏洩距離が大きくなるように、複数の笠が積み重ねられるようにして形成されている。
【００２５】
各カバー部３は、電線Ｚを内部に収容すべく、多重管構造となるように配置される複数（本実施形態において四つ）の管体３１，…と、絶縁ヤットコ（図示及び採番していない）で操作される操作部３２とを備える。そして、各カバー部３は、筒状に形成されていると共に、複数の管体３１，…が軸線方向で互いに相対変位することで、軸線方向に沿って伸縮可能に構成されている。
【００２６】
また、各カバー部３は、絶縁性を有して形成されている。なお、一対のカバー部３，３は、本体部２を挟むように本体部２の両側に配置されている。そして、一対のカバー部３，３は、電線支持部２２の収容部２２１を介して、内部同士が連通するように配置されている。
【００２７】
各管体３１は、電線Ｚを出し入れ可能にすべく、軸線方向に沿って開放されるスリット状の出入部３１１を備える。そして、各管体３１は、弾性変形することにより出入部３１１を開放すべく、弾性を有して形成される。さらに、複数の管体３１，…は、隣接する管体３１，３１の内周面と外周面とが接するように、積層して配置されている。
【００２８】
これにより、各管体３１は、連動して弾性変形することにより、各出入部３１１を連動させて開閉させる。そして、複数の管体３１，…は、各出入部３１１を開放させた際に、各出入部３１１を連通させるように配置されている。具体的には、各管体３１は、出入部３１１が上部に位置するように配置されている。
【００２９】
操作部３２は、出入部３１１を開閉させるべく管体３１を弾性変形させる際に操作される一対の操作片３２１，３２１と、出入部３１１が開放された状態を保持させる保持手段３２２と、該保持を解除させる解除手段３２３とを備える。そして、操作部３２は、複数の管体３１，…のうち、最内に配置される管体３１の先端部に固定されている。
【００３０】
防止手段４は、本体部２から突出する一対の長尺な突出部４１，４１を備える。そして、一対の突出部４１，４１は、本体部２を挟むように本体部２の両側に配置されている。また、各突出部４１は、カバー部３よりも下方に配置されていると共に、基端部で本体部２に連結されている。さらに、各突出部４１は、本体部２が腕金Ｘに固定された際に、腕金Ｘより上方で且つ電線Ｚより下方に配置される。
【００３１】
本実施形態に係る電線仮支持具１の構成については以上の通りであり、次に、本実施形態に係る電線仮支持具１を用いた碍子Ｙの交換方法について、図４〜図８を参酌して説明する。
【００３２】
まず、共用操作棒を操作することで、装着部２１３を周方向に回転させると、図４に示すように、一対の挟持部２１１，２１２が腕金Ｘを上下方向で挟持する。これにより、本体部２が腕金Ｘに取り付けられると、本体部２から突出している各突出部４１は、腕金Ｘに沿って配置されると共に、腕金Ｘより上方で且つ碍子Ｙに支持されている電線Ｚより下方に配置される。
【００３３】
そして、図５（ａ）及び（ｂ）に示すように、出入部３１１が閉塞しているため、一対の操作片３２１，３２１が接近するように、絶縁ヤットコで、一対の操作片３２１，３２１を操作する。すると、図６（ａ）及び（ｂ）に示すように、最内に配置される管体３１が径方向に拡がるように弾性変形することで、該管体３１の出入部３１１が開放される。
【００３４】
このとき、最内に配置される管体３１が弾性変形するのに伴って、他の管体３１，…も連動して径方向に拡がるように弾性変形するため、出入部３１１，…が互いに連通するように開放される。そして、一対の操作片３２１，３２１の操作を解除しても、保持手段３２２により、複数の出入部３１１，…が互いに連通した状態を保持できる。
【００３５】
その後、絶縁ヤットコにより、碍子Ｙから電線Ｚを取り外し、把持した電線Ｚを、電線支持部２２の収容部２２１に挿入させると共に各カバー部３に挿入させると、本体部２の電線支持部２２が電線Ｚを支持する。なお、碍子Ｙから本体部２に向けて電線Ｚを移動させる際に、誤って電線Ｚを落下させても、防止手段４の各突出部４１が電線Ｚを受け取るため、電線Ｚが腕金Ｘに接触するのを防止できる。
【００３６】
そして、絶縁ヤットコにより、解除手段３２３を操作すると、各管体３１が連動して復元し、各出入部３１１が連動して閉塞される。その後、図７（ａ）に示すように、各管体３１が積層されている状態から、絶縁ヤットコで一方の操作片３２１を把持して、管体３１を電線Ｚに沿って引くと、図７（ｂ）に示すように、複数の管体３１，…が軸線方向で互いに相対変位することにより、カバー部３が軸線方向に沿って伸長する。
【００３７】
これにより、図８に示すように、電線Ｚが本体部２とカバー部３，３とに絶縁被覆されるため、電線Ｚが通電しているにも関わらず、作業者が碍子Ｙ付近に近づくことができる。そして、撤去する碍子Ｙを腕金Ｘから取り外した後、新しい碍子Ｙを腕金Ｘに取り付けることで、碍子Ｙを交換することができる。その後は、反対の手順により、具体的には、電線仮支持具１から碍子Ｙに電線Ｚを移動させ、碍子Ｙに電線Ｚを支持させた後、電線仮支持具１を腕金Ｘから取り外すことにより、作業が完了する。
【００３８】
以上より、本実施形態に係る電線仮支持具１によれば、本体部２を腕金Ｘに取り付けた後、碍子Ｙから電線Ｚを取り外し、その電線Ｚを本体部２で支持させる。そして、本体部２に接続される各カバー部３が電線Ｚを覆うことで絶縁するため、電線Ｚが通電しているにも関わらず、作業員が碍子Ｙ付近に近づくことができる。
【００３９】
そして、碍子Ｙを腕金Ｘから取り外した後、新しい碍子Ｙを腕金Ｘに取り付けることで、碍子Ｙを交換することができる。したがって、腕金Ｘに取り付けられる碍子Ｙを交換する作業を簡素化することができると共に、絶縁操作棒（共用操作棒、絶縁ヤットコ）を用いて、碍子Ｙを交換することができる。
【００４０】
また、本実施形態に係る電線仮支持具１によれば、本体部２から突出する防止手段４の突出部４１，４１は、腕金Ｘより上方で且つ電線Ｚより下方に配置される。これにより、電線Ｚを碍子Ｙから本体部２に向けて移動させる際や、電線Ｚを本体部２から碍子Ｙに向けて移動させる際に、誤って電線Ｚを落下させても、防止手段４が電線Ｚを受け取るため、電線Ｚが腕金Ｘに接触するのを防止できる。
【００４１】
また、本実施形態に係る電線仮支持具１によれば、複数の管体３１，…が多重管構造となるように配置されることにより、各カバー部３が構成されている。そして、各管体３１に、軸線方向に沿って開放される出入部３１１が設けられているため、出入部３１１を介して、電線Ｚを管体３１に挿入したり、電線Ｚを管体３１から抜出したりできる。さらに、複数の管体３１，…が軸線方向で互いに相対変位することにより、各カバー部３が軸線方向に沿って伸縮できる。
【００４２】
また、本実施形態に係る電線仮支持具１によれば、各出入部３１１がスリット状に形成されているため、弾性を有する各管体３１が弾性変形することにより、出入部３１１が開放する。そして、複数の管体３１，…が連動して弾性変形することにより、複数の出入部３１１，…が互いに連動して開放すると共に、複数の出入部３１１，…が互いに連通する。これにより、電線Ｚを管体３１に容易に出し入れすることができる。
【００４３】
なお、本発明に係る電線仮支持具は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４４】
例えば、本発明に係る電線仮支持具においては、カバー部が本体部２に対して可動する構成でもよく、斯かる構成の一例を図９に示す。図９（ａ）に示すカバー部３ａは、基端部が可撓性を有するように蛇腹部３０ａを備えることで、本体部２に対して可動するように構成されており、また、図９（ｂ）に示すカバー部３ｂは、基端部にボールジョイント（球軸受）３０ｂを備えることで、本体部２に対して可動するように構成されている。
【００４５】
また、本発明に係る電線仮支持具においては、カバー部が電線Ｚを固定する電線固定部を備えてもよく、斯かる構成の一例を図１０に示す。図１０に示すカバー部３ｃは、最内に配置される管体３１ｃの先端部に、一対の弾性部からなる電線固定部３１２ｃを備えている。
【００４６】
斯かる構成によれば、図１０（ａ）に示すように、管体３１ｃを弾性変形し、出入部３１１ｃが開放された状態で、電線Ｚを管体３１ｃに挿入させた後、管体３１ｃを復元させると、図１０（ｂ）に示すように、一対の弾性部からなる電線固定部３１２ｃが電線Ｚを挟持する。これにより、カバー部３ｃが電線Ｚを固定するため、各管体３１ｃが電線Ｚに対して位置ズレする（不用意に移動する）のを防止できる。
【００４７】
また、上記実施形態に係る電線仮保持具１においては、各カバー３が多重管構造となるように配置される複数の管体３１，…を備える構成を説明したが、斯かる構成に限られない。例えば、カバー部は、単なる絶縁シートからなる構成でもよく、また、蛇腹形状により伸縮可能な構成でもよい。
【００４８】
また、上記実施形態に係る電線仮保持具１においては、隣接する管体３１，３１の内周面と外周面とが接するように、複数の管体３１，…が積層して配置されることで、各管体３１が連動して弾性変形する構成を説明したが、斯かる構成に限られない。例えば、各管体は、互いに係合する係合部を備えることにより、各管体が連動して弾性変形する構成でもよい。
【００４９】
また、上記実施形態に係る電線仮保持具１においては、防止手段４が一対の長尺な突出部４１，４１を備える構成を説明したが、斯かる構成に限られない。例えば、防止手段は、環状に形成される環状部を備え、該環状部は、電線Ｚを出し入れ可能に一部が開閉可能に構成されると共に、本体部２が腕金Ｘに固定された際に、下方側の部位が腕金Ｘより上方で且つ電線Ｚより下方に配置されるように形成される構成でもよい。斯かる構成によれば、電線Ｚが碍子Ｘ及び本体部２間で移動される際に、電線Ｚが環状部の内部で移動することになるため、電線Ｚが腕金Ｘに接触するのを確実に防止できる。
【符号の説明】
【００５０】
１…電線仮支持具、２…本体部、３…カバー部、４…防止手段、２１…腕金固定部、２２…電線支持部、２３…連結部、３１…管体、３２…操作部、４１…突出部、３１１…出入部、Ｘ…腕金、Ｙ…碍子、Ｚ…電線
【図１】
2012253994.tif 000003
【図２】
2012253994.tif 000004
【図３】
2012253994.tif 000005
【図４】
2012253994.tif 000006
【図５】
2012253994.tif 000007
【図６】
2012253994.tif 000008
【図７】
2012253994.tif 000009
【図８】
2012253994.tif 000010
【図９】
2012253994.tif 000011
【図１０】
2012253994.tif 000012